(57)【要約】      （修正有）【課題】極めて簡易な構成で、製造することができ、肩への負担の軽減及びマッサージ効果を実現することができる肩掛けバッグを提供する。【解決手段】肩掛けバッグを、上部を開口部３１とする袋状のバッグ本体部３と開口部において対面するように設けられた一組の持ち手Ａからなり、該持ち手は非伸縮部１と前記持ち手の少なくとも一部に形成された所定の長さの伸縮部２とが一体連続的に形成され、該伸縮部２は内部に弾性体２１を包含し、その外部は被覆部位２２として一体的に形成する。【選択図】図１
0003165270.tif 000002
【実用新案登録請求の範囲】
【請求項１】
上部を開口部とする袋状のバッグ本体部と開口部において対面するように設けられた一組の持ち手からなり、該持ち手は非伸縮部と前記持ち手の少なくとも一部に形成された所定の長さの伸縮部とが一体連続的に形成され、該伸縮部は内部に弾性体を包含し、その外部は被覆部位として一体的に形成されていることを特徴とする肩掛けバッグ。 
【請求項２】
請求項１において、前記伸縮部が前記持ち手の両端から所定の長さ形成されていることを特徴とする肩掛けバッグ。 
【請求項３】
請求項１において、前記持ち手が全て伸縮部として形成されていることを特徴とする肩掛けバッグ。 
【請求項４】
請求項１、２若しくは３のいずれか１項において、前記弾性体が帯状ゴム板であることを特徴とする肩掛けバッグ。
【考案の詳細な説明】
【技術分野】
【０００１】
本考案は、トートバッグ等の肩掛けタイプのバッグにおいて、バッグを肩に掛けたときの肩にかかるバッグの重さを分散させ、肩への負担を軽減することができるバッグに関する。
【背景技術】
【０００２】
近年、トートバッグ等のような、使い勝手がよく、カジュアル性のあるバッグが多く使用されるようになっている。このようなバッグは、出入口が大きく開くため物の出し入れがし易く、また大量に物を収納できるという利点がある。このため、大量の物を入れて使用されることが多い。
しかし、物を大量に入れることによりバッグ全体の重量が重くなってしまい、肩への負担が大きくなってしまう。ところで、こうしたバッグの重さを軽減させるために、下記特許文献１に示されるように、バッグを持ち歩く際に人にかかる荷重を軽減するバッグが開発されている。
【先行技術文献】
【特許文献】
【０００３】
【特許文献１】特開２００７−１８１６１２
【考案の概要】
【考案が解決しようとする課題】
【０００４】
しかし、特許文献１に開示されている考案は、いわゆるアタッシュケースのようなタイプのバッグに関するものであり、持ち手にかかる重さを肩掛けひもを利用して分散することにより、肩への負担軽減を図っている。つまり、持ち手と肩掛けひもの両方を必要とする。このため、トートバッグ等の肩掛けタイプのバッグには利用できない。本考案では、極めて簡単な構造にてバッグの重さによる肩への負担を軽減するバッグを提供することにある。
【課題を解決するための手段】
【０００５】
そこで、本考案者は、上記課題を解決すべく、鋭意，研究を行った結果、本考案を、上部を開口部とする袋状のバッグ本体部と開口部において対面するように設けられた一組の持ち手からなり、該持ち手は非伸縮部と前記持ち手の少なくとも一部に形成された所定の長さの伸縮部とが一体連続的に形成され、該伸縮部は内部に弾性体を包含し、その外部は被覆部位として一体的に形成されていることを特徴とする肩掛けバッグとしたことにより上記課題を解決した。
【０００６】
また、請求項２を、請求項１において、前記伸縮部を前記持ち手の両端から所定の長さ形成されていることを特徴とする肩掛けバッグとしたことにより、上記課題を解決した。請求項３を、請求項１において、前記持ち手が全て伸縮部として形成されていることを特徴とする肩掛けバッグとしたことにより、上記課題を解決した。請求項４を、請求項１、２若しくは３のいずれか１項において、前記弾性体が帯状ゴム板であることを特徴とする肩掛けバッグとしたことにより上記課題を解決した。
【考案の効果】
【０００７】
請求項１の考案では、トートバッグ等の肩掛けバッグにおいて、その持ち手の非伸縮部と伸縮部とが一体連続的に形成され、該伸縮部が内部に弾性体を包含し、外部が蛇腹状の被覆部位からなり、更に前記伸縮部の弾性体と被覆部位が一体的となる構成としたため、
肩掛けバッグに荷物を入れて肩にかけて歩いたときに、前記伸縮部が伸縮して肩への荷重を軽減することができる。また、歩くリズムに合わせて前記伸縮部が伸縮するが、前記伸縮部が縮んだときに肩への荷重が軽減され、伸びたときに再度バッグの重さが肩にかかるため、マッサージと同様の効果が得られる。
【０００８】
また、伸縮部において内部の弾性体と外部の被覆部位を固着させ、一体的に形成したことにより、弾性体の伸張伸長は被覆部位の長さ範囲に収まることになり、バッグの繰り返しの使用や重い荷物を入れたときの弾性体にかかる負担が軽減され、弾性疲労が生じにくくなるため、伸縮部が長持ちするという利点がある。また、非伸縮部と伸縮部を一体連続的に形成しているため、持ち手全体の材質を同じにすることができ、構造も極めて簡単にできるという利点がある。
【０００９】
請求項２の考案では、前記伸縮部が持ち手の両端に形成される構成としたため、バッグ本体部と持ち手が結合している結合部から連続して伸縮部が形成されるため、バッグの重さが伸縮部に伝わりやすく、確実に肩への荷重を軽減することができる。請求項３の考案では、持ち手全部が伸縮部として形成される構成としたため、肩への荷重の軽減が安定して行われ、更に伸縮度合いが大きくなるため、比較的重い荷物でも肩への荷重が軽減される。また、より大きなマッサージ効果を得ることができる。請求項４の考案は、弾性体を帯状ゴム板とすることで、適度な伸縮を実現することができる。
【図面の簡単な説明】
【００１０】
【図１】（Ａ）は本考案の第１実施形態における正面図、（Ｂ）は斜視図、（Ｃ）は（Ａ）の（ア）部の拡大図、（Ｄ）は（Ｃ）の伸縮部を伸長させた状態図。
【図２】（Ａ）は伸縮部の作製過程を示す第１状態図、（Ｂ）は伸縮部の作製過程の途中を示す第２状態図、（Ｃ）は伸縮部の作成完了状態を示す完了図、（Ｄ）は（Ｃ）のＹ−Ｙ矢視断面図、（Ｅ）は（Ｄ）のＸ−Ｘ矢視断面図である。
【図３】（Ａ）は伸縮部の通常状態の略示図、（Ｂ）は伸縮部の伸長状態の略示図。
【図４】（Ａ）は第２実施形態の正面図、（Ｂ）は（Ａ）の持ち手部分の拡大図。
【図５】（Ａ）は本考案を肩にかけて歩行している状態図、（Ｂ）は肩に掛けた状態の拡大図、（Ｃ）は伸縮部が伸長している状態の拡大図、（Ｄ）は伸縮部が縮んでいる状態の拡大図である。
【考案を実施するための形態】
【００１１】
本考案の第１実施形態を図面に基づいて説明する。本考案に係る肩掛けバッグは、上部が開口したバッグ本体部３と、開口部３１において対面するように設けられた一組の持ち手Ａ，Ａとからなり、前記持ち手Ａは非伸縮部１と少なくとも一部に形成された所定の長さの伸縮部２とからなる（図１（Ａ）（Ｂ）参照）。具体的には、前記伸縮部２，２は前記バッグ本体部３と前記持ち手Ａの結合部４，４を始点として持ち手Ａの両端から所定の長さ設けられている。ここで非伸縮部１とは持ち手Ａの伸縮部２，２以外の部分をいう。
【００１２】
伸縮部２は、弾性体２１と外部の被覆部位２２で構成される（図１（Ｃ）（Ｄ））。図１（Ｃ）は前記伸縮部２が通常状態のときを示している。ここで、前記伸縮部２が通常状態の時の弾性体２１の長さを通常状態長さＨとする。このとき、前記弾性体２１を被う被覆部位２２は蛇腹状になっている。次に、図１（Ｄ）は前記伸縮部２が伸長しているときを示している。ここで、前記伸縮部２を伸長させたときの弾性体２１の長さを最大長さＨmaxとする。この時、前記被覆部位２２も伸長して、蛇腹状ではなくなる。
【００１３】
伸縮部２について更に具体的に説明する。まず、持ち手用生地５を開いた状態にし、持ち手Ａの伸縮部２を形成する位置（ここでは、持ち手Ａの両端）に通常状態長さＨの弾性体２１の両端を力Ｆで引っ張り伸長させて、最大長さＨmaxとした上で、持ち手用生地５
の幅方向中央に固定する（図２（Ａ））。その状態で、持ち手用生地５の両端を幅方向中央にて重なるように折り畳み（図２（Ｂ））、該両端が重なりあった中央部分と両端をミシン等によって縦方向に縫い付けて、持ち手用生地５と弾性体２１を固着させる（図２（Ｃ）（Ｄ）（Ｅ））。図２（Ｄ）（Ｅ）からわかるように、持ち手用生地５と弾性体２１は密着した状態で固着されている。ここで、持ち手用生地５のうち弾性体２１と固着する部分が被覆部位２２となる。
【００１４】
伸縮部２はこのようにして形成されるため、被覆部位２２部分の持ち手用生地５の長さは弾性体２１を伸長させた最大長さＨmaxとなる。前記弾性体２１は通常状態では通常状
態長さＨであるから、被覆部位２２部分の持ち手用生地５の長さはＨmax−Ｈの分だけ弾
性体２１の通常状態長さＨより長くなるが、弾性体２１と最大状態長さＨmaxの状態で固
着しているため、物を何も入れていない通常状態では、被覆部位２２の長さも通常状態長さＨとなり、余った生地部分が縮れて蛇腹状になる（図３（Ａ）（Ｂ））。また、弾性体２１を伸長させた状態で持ち手用生地５と固着させているため、伸縮部２の最大長さは最大長さＨmaxを超えることはなく、長年使用し続けた場合やバッグの重さが重過ぎる場合
の弾性体２１の弾性疲労を抑えることができる。
【００１５】
伸縮部２と非伸縮部１は一体的かつ連続で形成されているが、非伸縮部１には何も包含されてはいない。但し、持ち手Ａの強度を高めるため、芯を入れてもいい。また、伸縮部２に含まれる弾性体２１としては帯状ゴム板２１１を使用する。ここで帯状ゴム板２１１とは、布製、合成樹脂製のいずれでもよい。
【００１６】
本考案の第２実施形態として、持ち手Ａ全体を伸縮部２とするものがある。この場合、弾性体２１の通常状態長さＨを伸長させた最大長さＨmaxを持ち手Ａの長さとし、前述し
たのと同様にして弾性体２１と持ち手用生地５を固着させて持ち手Ａを形成する。その結果、通常状態においては、持ち手Ａ全体が伸縮部２となる（図５（Ａ）（Ｂ））。持ち手Ａ全体が伸縮部となると、伸縮の幅がより大きくなる（図５（Ａ））。伸縮部２であるが、形成される場所は１以上であればいくつでもよいが、肩にかかるＵ字状部位１１を中心として対称となるように形成されることが望ましい。たとえば、伸縮部２を１つだけ形成する場合は、左右対称となるようにＵ字状部位１１に形成するのがよい。ただし、対称であることが好ましいが、非対称に形成してもよい。
【００１７】
図５（Ａ）は本考案に係る肩掛けバッグに荷物を入れたものを肩にかけた状態で歩いている状態図である。このとき、肩掛けバッグは歩くリズムに応じて、持ち手Ａの伸縮部２が上下に伸縮する。具体的には、バッグの物を入れて肩にかけた状態で伸縮部２は伸長分長さαだけ伸長し、開始状態長さＨ＋αとなる（図５（Ｂ）。この状態で歩き出すと、動いた反動で伸縮部２は最大長さＨmaxまで伸長する（図５（Ｃ））。伸縮部２は弾性体２
１を内包しているから、伸長の後は縮小する。最も縮小したときの縮小した分の長さを縮小分長さβとすると、最大縮小長さＨ−βまで伸縮する（図５（Ｄ））。つまり、バッグを肩にかけて歩いている間、伸縮部２の長さはＨ＋αの状態を開始状態とし、Ｈ＋α→Ｈmax→Ｈ→Ｈ−β→Ｈ→Ｈmax……と伸縮し続ける。
【００１８】
このとき、肩に感じられる重さを伸縮部２の長さがＨ＋αのとき開始状態重さＰとすると、長さＨmaxのとき最大重さＰdown、長さＨ−βのとき最小重さＰupとなる。ここで、
Ｐの関係は、Ｐup＜Ｐ＜Ｐdownとなる。つまり、下にバッグが下がったときに肩に感じられる最大重さＰdownが一番大きく、バッグが上に上がったときに感じられる最小重さＰupが一番小さくなる。したがって、肩に感じられる重さは、伸縮部２の伸縮に応じて変化し、肩に一定の重さがかかり続けることがないため、肩への負担を軽減することができる。
【００１９】
また、伸縮部２の伸縮に応じて肩に感じられる重さが異なってくることにより、肩は一
定の刺激を受けることになる。これにより肩に適度なマッサージが施されるのと同じ効果をもたらすことになり、重い荷物を肩に掛けて移動する際の肩への負担が軽減されることになる。
【００２０】
最後に、バッグは、バッグ本体部３の側面、底面にマチを有するものであっても、マチを有さないものであってもよい。バッグ本体部３の形状は方形状、円形状のいずれであってもよい。また、上部の開口部３１はファスナーやボタン、上蓋等で閉じられるようになっていても、また開口したままのものでもよい。更に、バッグ本体部３の正面、背面、側面のいずれか又は全部にポケットが備えられている場合も含まれる。
【符号の説明】
【００２１】
Ａ……持ち手，１……非伸縮部，１１……Ｕ字状部位，２……伸縮部，２１……弾性体，２１１……帯状ゴム板，２２……被覆部位，３……バッグ本体部，３１……開口部，
４……結合部位，５……持ち手用生地，α……伸長分長さ，β……縮小分長さ，
Ｈ……通常状態長さ，Ｈmax……最大長さ，Ｈ+α……開始状態長さ，
Ｈ−β……最大縮小長さ，Ｐ……開始状態重さ，Ｐup……最小重さ，
Ｐdown……最大重さ，Ｆ……力。
【図１】
0003165270.tif 000003
【図２】
0003165270.tif 000004
【図３】
0003165270.tif 000005
【図４】
0003165270.tif 000006
【図５】
0003165270.tif 000007